(57)【要約】      （修正有）【課題】小型のアンテナ取付装置で、仰角および偏波角を調整できる。【解決手段】マスト受け金具１３３と固定具１３２との間にマストが挟持して取り付ける。固定具１３２に対して所定角度範囲で回動可能に角度調整具１３１の本体部１３１ａに固着することにより偏波角が調整できる。アンテナケース１２０の上ケース１２０ａに、第１支持片１２１ａと、第１支持片１２１ａの上半分の形状の第２支持片１２１ｂとを側面から突出して形成し、下ケース１２０ｂに、第１支持片１２１ａの下半分の形状の第３支持片１２１ｃを側面から突出して形成する。上ケース１２０ａを下ケース１２０ｂに嵌合することにより、角度調整具１３１の突出部１３１ｄの一面から突出している軸部１２４を第２支持片１２１ｂと第３支持片１２１ｃの間に支持し、第１支持片１２１ａの挿通孔に挿通した長ボルト１２２を突出部１３１ｄの他面の孔部に螺着して仰角を調整する。【選択図】図３８
2011254511.tif 000002
【特許請求の範囲】
【請求項１】
厚さの薄くされた直方体状とされているアンテナ装置の仰角および偏波角を調整可能に支持するアンテナ取付装置であって、
側面から突出するよう形成された第１挿通孔が形成されている第１支持片と、該第１支持片の上半分の形状とされ第１半円溝が形成されている第２支持片とを有する上ケースを、前記第１支持片の下半分の形状とされ第２半円溝が形成されている第３支持片を有する下ケースに被せるよう嵌合可能とされ、嵌合した際に前記第２支持片と前記第３支持片とが当接して前記第１半円溝と前記第２半円溝とにより第２挿通孔が形成され、内部に平面状のアンテナが収納されているアンテナケースと、
前記アンテナ装置が取り付けられる被支持物に固着可能な固定具と、
該固定具に対して第１の面内において回動可能に支持されるよう前記固定具に取り付けられる本体部と、前記第１の面と直交する第２の面内において前記アンテナ装置を回動可能とするよう前記第１支持片と、前記第２支持片と第３支持片とからなる支持片との間に配置されて回動可能に支持すると共に、前記本体部の一面から突出して形成されている突出部とを備える角度調整具とを備え、
前記突出部の一方の側面から突出している軸部が、前記第１半円溝と前記第２半円溝とにより形成された第２挿通孔に挿通されると共に、前記第１支持片の前記第１挿通孔に、前記第１支持片の前記第２支持片と対面していない面から挿通された螺着手段が、前記突出部の他方の側面に形成された孔部に螺着されることを特徴とするアンテナ取付装置。
【請求項２】
前記第１支持片に形成されている第１挿通孔の周囲に放射状の第１の鋸歯状部が形成されていると共に、前記突出部の前記他方の側面に形成されている孔部の周囲に前記第１の鋸歯状部に歯合する放射状の第２の鋸歯状部が形成され、前記螺着手段が緩められた際に前記第１支持片が前記突出部に対して回動可能となり、前記螺着手段が緊締された際に前記第１の鋸歯状部と前記第２の鋸歯状部とが歯合して、前記第１支持片が前記突出部に対して回動不能に取り付けられるようになることを特徴とする請求項１記載のアンテナ取付装置。
【請求項３】
前記角度調整具の前記本体部に形成されている第３挿通孔の周囲に放射状の第３の鋸歯状部が形成されていると共に、前記固定部に形成されている第２孔部の周囲に前記第３の鋸歯状部に歯合する放射状の第４の鋸歯状部が形成されており、前記第３挿通孔に挿通された第２螺着手段を前記第２孔部に螺着することにより、前記角度調整具が前記固定具に回動可能に支持されるようになり、前記第２螺着手段が緩められた際に前記角度調整具が前記固定具に対して回動可能となり、前記第２螺着手段が緊締された際に前記第３の鋸歯状部と前記第４の鋸歯状部とが歯合することにより、前記角度調整具が前記固定具に対して回動不能に取り付けられるようになることを特徴とする請求項１または２記載のアンテナ取付装置。
【請求項４】
前記角度調整具の前記本体部に形成されている第３挿通孔の周囲に扇状凹部が形成されていると共に、前記固定部に形成されている第２孔部の周囲に前記扇状凹部に嵌挿可能な扇状凸部が形成されており、前記第３挿通孔に挿通された第２螺着手段を前記第２孔部に螺着することにより、前記角度調整具が前記固定具に前記扇状凹部内を前記扇状凸部が回動できる角度範囲内において回動可能に支持されるようになることを特徴とする請求項１または２記載のアンテナ取付装置。
【請求項５】
前記固定具に対面するよう受け金具を配置し、前記固定具と前記受け金具に嵌挿されているコの字ボルトにナット手段を螺着することにより、前記固定具と前記受け金具との間に挟持された前記被支持物に固着されるようにしたことを特徴とする請求項１ないし４のいずれかに記載のアンテナ取付装置。
【請求項６】
前記アンテナ装置の平面にほぼ平行な面を偏波面とするアンテナが、前記アンテナ装置に内蔵されていることを特徴とする請求項１ないし４のいずれかに記載のアンテナ取付装置。
【発明の詳細な説明】
【技術分野】
【０００１】
本発明は、アンテナ装置の仰角および偏波角を調整可能に支持するアンテナ取付装置に関する。
【背景技術】
【０００２】
地上デジタル放送は、従来のアナログ放送と異なり、一定レベル以上での到来電波を受信できさえすればデジタル信号であることから鮮明な映像を得られる。従って、地上デジタル放送を受信するアンテナは必ずしも高利得である必要はない。このため、従来のアンテナに比べ、小型で扱いやすい形状のアンテナが期待されており、最近では、そのようなアンテナも生産されるようになってきた。
しかし、高利得なアンテナでなくても良いとはいえ、アンテナの調整に自由度を持たせて、より受信感度が高くなるようになれば、取付場所などにおいて更に利便性が良くなる。また、アンテナが取り付けられるマストが若干傾いている場所にアンテナを設置する場合でも、マストの傾きを補正できるようにアンテナを設置することができれば、電波をより良好に受信出来るようになる。さらに、住宅街やビル街等では建造物により電波が反射されることから、アンテナをやや上空に向けて設置した方が、受信感度が良くなる事も起こり得る。このような場合には、アンテナの仰角および偏波角を調整することにより解決することができる。
従来からアンテナの仰角および偏波角を調整することのできるアンテナ取付装置が知られている。
【先行技術文献】
【特許文献】
【０００３】
【特許文献１】特開２００２−９５１７号公報
【発明の概要】
【発明が解決しようとする課題】
【０００４】
しかし、従来のアンテナの仰角および偏波角を調整することのできるアンテナ取付装置は、構造が複雑で大型になってしまい小型のアンテナに適用することが不向きであるという問題点があった。
そこで、本発明はアンテナ装置の仰角および偏波角を調整することのできる小型のアンテナに適用可能なアンテナ取付装置を提供することを目的としている。
【課題を解決するための手段】
【０００５】
上記目的を達成するために、本発明のアンテナ取付装置は、厚さの薄くされた直方体状とされているアンテナ装置の仰角および偏波角を調整可能に支持するアンテナ取付装置であって、側面から突出するよう形成された第１挿通孔が形成されている第１支持片と、該第１支持片の上半分の形状とされ第１半円溝が形成されている第２支持片とを有する上ケースを、前記第１支持片の下半分の形状とされ第２半円溝が形成されている第３支持片を有する下ケースに被せるよう嵌合可能とされ、嵌合した際に前記第２支持片と前記第３支持片とが当接して前記第１半円溝と前記第２半円溝とにより第２挿通孔が形成され、内部に平面状のアンテナが収納されているアンテナケースと、前記アンテナ装置が取り付けられる被支持物に固着可能な固定具と、該固定具に対して第１の面内において回動可能に支持されるよう前記固定具に取り付けられる本体部と、前記第１の面と直交する第２の面内において前記アンテナ装置を回動可能とするよう前記第１支持片と、前記第２支持片と第３支持片とからなる支持片との間に配置されて回動可能に支持すると共に、前記本体部の一面から突出して形成されている突出部とを備える角度調整具とを備え、前記突出部の一方の側面から突出している軸部が、前記第１半円溝と前記第２半円溝とにより形成された第２挿通孔に挿通されると共に、前記第１支持片の前記第１挿通孔に、前記第１支持片の前記第２支持片と対面していない面から挿通された螺着手段が、前記突出部の他方の側面に形成された孔部に螺着されることを最も主要な特徴としている。
【発明の効果】
【０００６】
本発明によれば、突出部の一方の側面から突出している軸部が、第１半円溝と第２半円溝とにより形成された第２挿通孔に挿通されると共に、第１支持片の第１挿通孔に、第１支持片の第２支持片と対面していない面から挿通された螺着手段が、突出部の他方の側面に形成された孔部に螺着されることから、角度調整具により仰角および偏波角の両方を調整することができ、小型のアンテナ装置に適したアンテナ取付装置とすることができる。
【図面の簡単な説明】
【０００７】
【図１】本発明の第１実施例にかかるアンテナ取付装置を備えるアンテナ装置の構成を示す分解斜視図である。
【図２】本発明の第１実施例にかかるアンテナ取付装置を備えるアンテナ装置の構成を示す側面図である。
【図３】本発明の第１実施例にかかるアンテナ取付装置を備えるアンテナ装置を垂直面内において９０°回転させた際の状態を示す側面図である。
【図４】本発明の第１実施例のアンテナ取付装置におけるアンテナケースの構成を示す側面図である。
【図５】本発明の第１実施例のアンテナ取付装置におけるアンテナケースの構成を示す下面図である。
【図６】本発明の第１実施例のアンテナ取付装置におけるアンテナケースの構成を示す背面図である。
【図７】本発明の第１実施例のアンテナ取付装置における角度調整具の構成を示す正面図である。
【図８】本発明の第１実施例のアンテナ取付装置における角度調整具の構成を示す側面図である。
【図９】本発明の第１実施例のアンテナ取付装置における角度調整具の構成を示す背面図である。
【図１０】本発明の第１実施例のアンテナ取付装置における角度調整具の構成を示す平面図である。
【図１１】本発明の第１実施例のアンテナ取付装置における角度調整具をアンテナケースに固着する準備工程の状態を示す斜視図である。
【図１２】本発明の第１実施例のアンテナ取付装置における角度調整具をアンテナケースに固着する準備工程の状態の一部を拡大して示す斜視図である。
【図１３】本発明の第１実施例のアンテナ取付装置における角度調整具をアンテナケースに固着した状態を示す斜視図である。
【図１４】本発明の第１実施例のアンテナ取付装置における角度調整具をアンテナケースに固着した状態を示す側面図である。
【図１５】本発明の第１実施例のアンテナ取付装置における角度調整具をアンテナケースに固着して仰角を下に向けた状態を示す側面図である。
【図１６】本発明の第１実施例のアンテナ取付装置における角度調整具をアンテナケースに固着して仰角を上に向けた状態を示す側面図である。
【図１７】本発明の第１実施例のアンテナ取付装置における第２支持片を第２起立部に軸支する構成の一例を示す斜視図である。
【図１８】本発明の第１実施例のアンテナ取付装置における第２支持片を第２起立部に軸支する構成の他の例を示す斜視図である。
【図１９】本発明の第１実施例のアンテナ取付装置における第２支持片を第２起立部に軸支する構成のさらに他の例を示す斜視図である。
【図２０】本発明の第１実施例のアンテナ取付装置における第２支持片を第２起立部に軸支する構成のさらに他の例を示す斜視図である。
【図２１】本発明の第１実施例のアンテナ取付装置における固定具の構成を示す正面図である。
【図２２】本発明の第１実施例のアンテナ取付装置における固定具の構成を示す下面図である。
【図２３】本発明の第１実施例のアンテナ取付装置における固定具の構成を示す背面図である。
【図２４】本発明の第１実施例のアンテナ取付装置における固定具の構成を示す側面図である。
【図２５】本発明の第１実施例のアンテナ取付装置における角度調整具を固定具に固着する準備工程の状態を示す斜視図である。
【図２６】本発明の第１実施例のアンテナ取付装置における角度調整具を固定具に固着した状態を示す斜視図である。
【図２７】本発明の第１実施例のアンテナ取付装置において偏波角を０°に調整した場合の状態を示す図である。
【図２８】本発明の第１実施例のアンテナ取付装置において偏波角を約３０°に調整した場合の状態を示す図である。
【図２９】本発明の第１実施例のアンテナ取付装置において偏波角を約６０°に調整した場合の状態を示す図である。
【図３０】本発明の第１実施例のアンテナ取付装置において偏波角を約９０°に調整した場合の状態を示す図である。
【図３１】本発明の第１実施例のアンテナ取付装置におけるアンテナ装置をマストに取り付ける準備工程を示す斜視図である。
【図３２】本発明の第１実施例のアンテナ取付装置におけるアンテナ装置をマストに取り付ける第１工程を示す斜視図である。
【図３３】本発明の第１実施例のアンテナ取付装置におけるアンテナ装置をマストに取り付けた状態を示す斜視図である。
【図３４】本発明の第１実施例のアンテナ取付装置におけるアンテナ装置を壁面に取り付ける場合を示す斜視図である。
【図３５】本発明の第２実施例にかかるアンテナ取付装置を備えるアンテナ装置の構成を示す下面図である。
【図３６】本発明の第２実施例にかかるアンテナ取付装置を備えるアンテナ装置の構成を示す側面図である。
【図３７】本発明の第２実施例にかかるアンテナ取付装置を備えるアンテナ装置の構成を示す分解斜視図である。
【図３８】本発明の第２実施例にかかるアンテナ取付装置を備えるアンテナ装置の構成を示す他の分解斜視図である。
【図３９】本発明の第２実施例のアンテナ取付装置における角度調整具の構成を示す断面図である。
【図４０】本発明の第２実施例のアンテナ取付装置における角度調整具の構成を示す側面図である。
【図４１】本発明の第２実施例のアンテナ取付装置における角度調整具の構成を示す正面図である。
【図４２】本発明の第２実施例のアンテナ取付装置における角度調整具の構成を示す斜視図である。
【図４３】本発明の第２実施例のアンテナ取付装置における角度調整具の構成を示す他の斜視図である。
【図４４】本発明の第２実施例のアンテナ取付装置における固定具の構成を示す断面図である。
【図４５】本発明の第２実施例のアンテナ取付装置における固定具の構成を示す側面図である。
【図４６】本発明の第２実施例のアンテナ取付装置における固定具の構成を示す正面図である。
【図４７】本発明の第２実施例のアンテナ取付装置における固定具の構成を示す斜視図である。
【図４８】本発明の第２実施例のアンテナ取付装置における固定具の構成を示す他の斜視図である。
【図４９】本発明の第２実施例のアンテナ取付装置におけるアンテナケースの構成を示す下面図である。
【図５０】本発明の第２実施例のアンテナ取付装置におけるアンテナケースの構成を示す一側面図である。
【図５１】本発明の第２実施例のアンテナ取付装置におけるアンテナケースの構成を示す他の側面図である。
【図５２】本発明の第２実施例のアンテナ取付装置におけるアンテナケースの構成を示す分解斜視図である。
【図５３】本発明の第２実施例のアンテナ取付装置におけるアンテナケースの上ケースの構成を示す下面図である。
【図５４】本発明の第２実施例のアンテナ取付装置におけるアンテナケースの上ケースの構成を示す一側面図である。
【図５５】本発明の第２実施例のアンテナ取付装置におけるアンテナケースの上ケースの構成を示す他の側面図である。
【図５６】本発明の第２実施例のアンテナ取付装置におけるアンテナケースの下ケースの構成を示す上面図である。
【図５７】本発明の第２実施例のアンテナ取付装置におけるアンテナケースの下ケースの構成を示す一側面図である。
【図５８】本発明の第２実施例のアンテナ取付装置におけるアンテナケースの下ケースの構成を示す他の側面図である。
【図５９】本発明の第２実施例にかかるアンテナ取付装置を備えるアンテナ装置を水平に向けた状態を示す示す図である。
【図６０】本発明の第２実施例にかかるアンテナ取付装置を備えるアンテナ装置を下方へ向けた状態を示す示す図である。
【図６１】本発明の第２実施例にかかるアンテナ取付装置を備えるアンテナ装置を上方へ向けた状態を示す示す図である。
【図６２】本発明の第２実施例のアンテナ取付装置における角度調整具を固定具に対して回動可能に固着する部分のみの構成を示す斜視図である。
【図６３】本発明の第２実施例のアンテナ取付装置における角度調整具を固定具に対して回動可能に固着する部分のみの構成を示す他の斜視図である。
【図６４】本発明の第２実施例のアンテナ取付装置において角度調整具を固定具に対して０°回動した際の角度調整具と固定具との関係を示す図である。
【図６５】本発明の第２実施例のアンテナ取付装置において角度調整具を固定具に対して０°回動した際の第２扇状凸部の第１扇状溝部内の回動態様を示す図である。
【図６６】本発明の第２実施例のアンテナ取付装置において角度調整具を固定具に対して３０°時計方向に回動した際の角度調整具と固定具との関係を示す図である。
【図６７】本発明の第２実施例のアンテナ取付装置において角度調整具を固定具に対して３０°時計方向に回動した際の第２扇状凸部の第１扇状溝部内の回動態様を示す図である。
【図６８】本発明の第２実施例のアンテナ取付装置において角度調整具を固定具に対して６０°時計方向に回動した際の角度調整具と固定具との関係を示す図である。
【図６９】本発明の第２実施例のアンテナ取付装置において角度調整具を固定具に対して６０°時計方向に回動した際の第２扇状凸部の第１扇状溝部内の回動態様を示す図である。
【図７０】本発明の第２実施例のアンテナ取付装置において角度調整具を固定具に対して９０°時計方向に回動した際の角度調整具と固定具との関係を示す図である。
【図７１】本発明の第２実施例のアンテナ取付装置において角度調整具を固定具に対して９０°時計方向に回動した際の第２扇状凸部の第１扇状溝部内の回動態様を示す図である。
【図７２】本発明の第２実施例のアンテナ取付装置においてアンテナ装置をマストに取り付ける取付方法を示す図である。
【図７３】本発明の第２実施例のアンテナ取付装置においてアンテナ装置をマストに取り付ける取付方法を示す他の図である。
【図７４】本発明の第２実施例のアンテナ取付装置においてアンテナ装置をマストに取り付ける取付方法を示すさらに他の図である。
【図７５】本発明の第２実施例のアンテナ取付装置においてアンテナ装置を平面部に取り付ける取付方法を示す図である。
【発明を実施するための形態】
【０００８】
本発明の第１実施例にかかるアンテナ取付装置を備えるアンテナ装置の構成を示す分解斜視図を図１に示す。
図１に示すアンテナ装置１は、アンテナ部２の仰角および偏波角を調整することのできる小型のアンテナ取付装置３を備えている。アンテナ部２は、厚さの薄くされた直方体状のアンテナケース２０を有し、アンテナケース２０内に平面状のアンテナが収納されている。このアンテナは、例えば地上波デジタル放送を受信することができるアンテナとすることができる。
【０００９】
アンテナ部２におけるアンテナケース２０は電波透過性の樹脂材を成形することにより構成されており、樹脂材は例えばＡＥＳ（アクリロニトリル−エチレン・プロピレン・ジエンゴム−スチレン共重合体）樹脂やアクリル樹脂のように誘電率の低い樹脂材とされている。アンテナケース２０の内部には特願２００５−２０５１３１で提案した平面アンテナなどの小型で厚みの薄い平面状のアンテナが収納されている。アンテナケース２０は、例えば縦の長さが約２３０ｍｍ、横の長さが約１５０ｍｍとされており、厚さは収納されるアンテナの構成によるが約１０ｍｍ〜３０ｍｍとすることができる。アンテナケース２０の詳細構成を図４ないし図６に示す。図４は、アンテナケース２０の構成を示す側面図であり、図５はアンテナケース２０の構成を示す下面図であり、図６はアンテナケース２０の構成を示す背面図である。これらの図に示すように、アンテナケース２０の下面における長辺の一方の縁部から一対の第１支持片２１ａと第２支持片２１ｂとが斜め下方へ突出するよう形成されている。第１支持片２１ａと第２支持片２１ｂの先端は半円状に形成されている。第１支持片２１ａには第１挿通孔２３ａが形成されており、図示されていない裏面であって第１挿通孔２３ａの周囲に放射状の鋸歯状部が形成されている。また、第２支持片２１ｂには第２挿通孔２３ｂが形成されており、図示されていない裏面であって第２挿通孔２３ｂの周囲にも放射状の鋸歯状部が形成されている。
【００１０】
アンテナ取付装置３は、角度調整具３１、固定具３２、マスト受け金具３３、コの字ボルト３４、蝶ボルト３５および一対の蝶ナット３６を備えている。角度調整具３１、固定具３２はＡＥＳ樹脂等の樹脂材を成形することにより、あるいは金属製とされており、マスト受け金具３３は金属板を加工することにより作成されている。
角度調整具３１の詳細構成を図７ないし図１０に示す。図７は角度調整具３１の構成を示す正面図であり、図８は角度調整具３１の構成を示す側面図であり、図９は角度調整具３１の構成を示す背面図であり、図１０は角度調整具３１の構成を示す平面図である。
【００１１】
これらの図に示すように角度調整具３１は、上部が矩形状とされ中央部から次第に幅が狭くされると共に下部が半円状に形成されている本体部３１ａを有し、本体部３１ａの下部に第１挿通孔３１ｃが形成されている。本体部３１ａの一面において、第１挿通孔３１ｃの周囲に放射状の第１鋸歯状部３１ｂがリング状に形成されている。また、本体部３１ａの他面には一対とされる第１起立部３１ｄと第２起立部３１ｇが対面して突出するよう設けられている。第１起立部３１ｄと第２起立部３１ｇは上部から下部に向かう方向に長く形成されている。第１起立部３１ｄにはネジ孔３１ｆが形成され、ネジ孔３１ｆの周囲に放射状の第２鋸歯状部３１ｅが第１起立部３１ｄの一面において形成されている。また、図１７に示すように第２起立部３１ｇの一面からは所定長の軸部３１ｈが第１起立部３１ｄに向かって突出するよう形成され、第２起立部３１ｇの一面である軸部３１ｈの根本の周囲に放射状の第３鋸歯状部３１ｉが形成されている。
【００１２】
固定具３２の詳細構成を図２１ないし図２４に示す。図２１は固定具３２の構成を示す正面図であり、図２２は固定具３２の構成を示す下面図であり、図２３は固定具３２の構成を示す背面図であり、図２４は固定具３２の構成を示す側面図である。
これらの図に示すように、固定具３２の外形は角度調整具３１とほぼ同様の形状とされており、上部に矩形状に一面から突出している挟持部３２ｂと、挟持部３２ｂの下に位置し中央部から次第に幅が狭くされると共に下部が半円状に形成されている本体部３２ａを有し、本体部３２ａの下部にネジ孔３２ｆが形成されている。固定具３２の上部に形成されている挟持部３２ｂは、本体部３２ａから一面側へ突出するよう厚く形成されており両側にそれぞれ第１貫通孔３２ｃと第２貫通孔３２ｄが設けられている。また、挟持部３２ｂの一面において、ほぼ中央部にＶ字状溝部３２ｅが縦方向に形成されている。このＶ字状溝部３２ｅには、アンテナ装置１が固着されるマストが抱持されてマスト受け金具３３とによりマストが挟持されるようになる。また、挟持部３２ｂの他面において第１貫通孔３２ｃおよび第２貫通孔３２ｄの周囲に、第１貫通孔３２ｃおよび第２貫通孔３２ｄに挿通されるネジの頭部が収納可能な円形の凹部が設けられている。さらに、第１貫通孔３２ｃおよび第２貫通孔３２ｄを結ぶ横方向にＵ字状溝３２ｈが形成されている。このＵ字状溝３２ｈには後述するコの字ボルト３４が収納される。この場合、コの字ボルト３４は第１貫通孔３２ｃおよび第２貫通孔３２ｄに挿通される。
【００１３】
金属板を加工することにより作成されているマスト受け金具３３は、横長に形成されてほぼ中央部にＶ字状に折曲されたＶ字部３３ａが形成されている。マスト受け金具３３は、上部と下部とが内側にほぼ直交するよう折曲されて曲げ荷重に強くなるようにされており、上部と下部における折曲部のＶ字部３３ａの内側にマストに喰い込む複数の尖った歯が形成されている。また、Ｖ字部３３ａの右側には長溝３３ｂが形成され、Ｖ字部３３ａの左側には長孔３３ｃが形成されている。長溝３３ｂと長孔３３ｃには、コの字ボルト３４の端部が挿通される。長溝３３ｂと長孔３３ｃに挿通されて突出したコの字ボルト３４の先端には、一対の蝶ナット３６が螺着される。また、第１支持片２１ａの第１挿通孔２３ａに蝶ボルト２２が挿通されて、角度調整具３１の第１起立部３１ｄにおけるネジ孔３１ｆに螺合される。さらに、角度調整具３１の第１挿通孔３１ｃには蝶ボルト３５が挿通されて固定具３２のネジ孔３２ｆに螺合される。
【００１４】
本発明の第１実施例にかかるアンテナ取付装置３を備えるアンテナ装置１の構成を示す側面図を図２に、アンテナ装置１を垂直面内において９０°回転させた際の状態を示す側面図を図３に示す。ただし、図２および図３においてはマスト受け金具３３、コの字ボルト３４および蝶ナット３６は省略されて示されている。
図２および図３に示すように、アンテナケース２０に設けられている第１支持片２１ａは蝶ボルト２２により角度調整具３１に設けられている第１起立部３１ｄに固着されている。また、第２支持片２１ｂは第２起立部３１ｇに回転可能に軸支されている。第２支持片２１ｂを第２起立部３１ｇに軸支する構成の一例を図１７に示す。図１７に示すように第２起立部３１ｇの一面からは所定長さの軸部３１ｈが突出するよう形成されており、この軸部３１ｈを第２支持片２１ｂにおける第２挿通孔２３ｂに挿通することにより、第２支持片２１ｂは第２起立部３１ｇに回転可能に支持されている。なお、第２起立部３１ｇの一面における軸部３１ｈの根本の周囲には放射状の第３鋸歯状部３１ｉが形成されている。
【００１５】
ここで、図１１ないし図１４に角度調整具３１をアンテナ部２におけるアンテナケース２０に固着する作業工程を示す。図１１は角度調整具３１をアンテナケース２０に固着する準備工程の状態を示す斜視図であり、図１２は図１１に示す状態の一部を拡大して示す斜視図であり、図１３は角度調整具３１をアンテナケース２０に固着した状態を示す斜視図である。
角度調整具３１をアンテナケース２０に固着するには、図１１に示すように角度調整具３１の第１起立部３１ｄをアンテナケース２０の第１支持片２１ａに位置合わせすると共に、第２起立部３１ｇをアンテナケース２０の第２支持片２１ｂに位置合わせする。そして、図１２に示す第２起立部３１ｇに形成されている軸部３１ｈを第２支持片２１ｂに形成されている第２挿通孔２３ｂに挿通する。次いで、蝶ボルト２２を第１支持片２１ａに形成されている第１挿通孔２３ａに挿通して第１起立部３１ｄに形成されているネジ孔３１ｆに螺合する。これにより、図１３に示すように蝶ボルト２２により角度調整具３１がアンテナケース２０に固着される。この場合、蝶ボルト２２および軸部３１ｈを回転中心としてアンテナケース２０は角度調整具３１に回転可能に固着される。図１３に示す固着状態の側面図を図１４に示す。
【００１６】
このようにアンテナケース２０は角度調整具３１に回転可能に固着されていることから、図２に示す構成において蝶ボルト２２を緩めるとアンテナケース２０は蝶ボルト２２および軸部３１ｈを回転中心として上下に回転できるようになり、図１５に示すように仰角を下に向けたり、図１６に示すように仰角を上に向けた状態に調整することができる。このように、アンテナ部２の仰角を調整した状態において、蝶ボルト２２を緊締することにより、第１支持片２１ａの他面に形成されている鋸歯状部と第１起立部３１ｄの一面に形成されている第２鋸歯状部３１ｅとが歯合するようになると共に、第２支持片２１ｂの他面に形成されている鋸歯状部と第２起立部３１ｇの一面に形成されている第３鋸歯状部３１ｉとが歯合するようになる。鋸歯状部同士が歯合した結果、アンテナ部２は角度調整具３１に対して回転不能となり、調整した仰角を維持することができるようになる。
【００１７】
次に、図２５および図２６に角度調整具３１を固定具３２に固着する作業工程を示す。図２５は角度調整具３１を固定具３２に固着する準備工程の状態を示す斜視図であり、図２６は角度調整具３１を固定具３２に固着した状態を示す斜視図である。
角度調整具３１を固定具３２に固着するには、図２５に示すように角度調整具３１の本体部３１ａに形成されている第１挿通孔３１ｃを固定具３２の本体部３２ａに形成されているネジ孔３２ｆに位置合わせする。そして、蝶ボルト３５を角度調整具３１における第１挿通孔３１ｃに挿通して固定具３２におけるネジ孔３２ｆに螺合する。これにより、図２６に示す斜視図のように蝶ボルト３５により角度調整具３１が固定具３２に固着される。この場合、蝶ボルト３５を回転中心として角度調整具３１は固定具３２に回転可能に固着される。
【００１８】
このように角度調整具３１は固定具３２に回転可能に固着されていることから、図２に示す構成において蝶ボルト３５を緩めると角度調整具３１が固定具３２に対して蝶ボルト３５を回転中心として回転可能となり、角度調整具３１とアンテナ部２とが一体となって回転することからアンテナ部２の偏波角の調整を行うことができる。この場合、図２に示す状態に調整した場合はアンテナ部２は水平偏波を受信できるようになり、図３に示すようにアンテナケース２０が垂直になるよう約９０°回転させた場合は、アンテナ部２で垂直偏波を受信できるようになる。偏波角の調整を行う場合の固定具３２に対する角度調整具３１の状態を図２７ないし図３０に示す。図２７は、偏波角を０°として水平偏波を受信するよう調整した状態を示す図であり、固定具３２に同形状とされている角度調整具３１は重なるようになる。また、図２８は偏波角を約３０°となるよう調整した状態を示す図であり、固定具３２に対して角度調整具３１は約３０°傾いて固着されるようになる。さらに、図２９は偏波角を約６０°となるよう調整した状態を示す図であり、固定具３２に対して角度調整具３１は約６０°傾いて固着されるようになる。さらにまた、図３０は偏波角を約９０°となるよう調整して垂直偏波を受信できる状態を示す図であり、固定具３２に対して角度調整具３１は約９０°傾いて固着されるようになる。このようにして、アンテナ部２における偏波角の調整が終了した際に、蝶ボルト３５を緊締することにより角度調整具３１の一面に形成されている第１鋸歯状部３１ｂが固定具３２の他面に形成されている第４鋸歯状部３２ｇに歯合するようになる。これにより、角度調整具３１に固着されているアンテナ部２は固定具３２に対して回転不能となり、調整した偏波角を維持することができるようになる。
【００１９】
以上説明した角度調整具３１は、第１鋸歯状部３１ｂが固定具３２における第４鋸歯状部３２ｇに歯合していることから、固定具３２に対して所定の角度ずつ回転することができるようになる。この所定の角度は、第１鋸歯状部３１ｂと第４鋸歯状部３２ｇの山と山の間隔により決定され、例えば約１５°とされている。この角度はアンテナ部２の指向性の鋭さ（半値角）に応じて決定するのが好適である。指向性が鋭い場合は、両鋸歯状部の山と山との間隔を小さくして所定の角度を１０°や５°に設定し、指向性がブロードの場合は、両鋸歯状部の山と山との間隔を大きくして所定の角度を２０°や２５°に設定することが好適とされる。
【００２０】
次に、図３１ないし図３３に本発明の第１実施例にかかるアンテナ取付装置３を備えるアンテナ装置１をマストに取り付ける作業工程を示す。図３１はアンテナ装置１をマストに取り付ける準備工程を示す斜視図であり、図３２はアンテナ装置１をマストに取り付ける第１工程を示す斜視図であり、図３３はアンテナ装置１をマストに取り付けた状態を示す斜視図である。
アンテナ装置１をマストに取り付けるには、図３１に示すようにコの字ボルト３４のネジ部が設けられているコの字に折曲された両端部を固定具３２における挟持部３２ｂに形成されている第１貫通孔３２ｃおよび第２貫通孔３２ｄに、固定具３２の他面側から挿通して図３２に示す状態とする。この場合、コの字ボルト３４の中央部は挟持部３２ｂの他面に形成されている図２３および図２４に示す構成とされるＵ字状溝３２ｈ内に嵌入される。これにより、固定具３２に角度調整具３１を取り付けても角度調整具３１の一面にコの字ボルト３４が接触あるいは当接することを防止することができる。次いで、固定具３２の一面側から突出したコの字ボルト３４の両端部を、固定具３２に位置合わせされたマスト受け金具３３の長溝３３ｂおよび長孔３３ｃにそれぞれ挿通し、マスト受け金具３３の長溝３３ｂおよび長孔３３ｃに挿通されて突出したコの字ボルト３４の両先端に蝶ナット３６をそれぞれ螺合する。蝶ナット３６をコの字ボルト３４の両先端に螺合した状態が図３３に示す状態となる。図３２および図３３においては図示されていないが、固定具３２とマスト受け金具３３との間にアンテナ装置１が取り付けられるマストが挟持され、蝶ナット３６をコの字ボルト３４の両先端に螺着することにより、挟持部３２ｂに形成されているＶ字状溝部３２ｅに抱持されたマストにＶ字部３３ａの内側に形成されている複数の尖った歯が喰い込んで確実に固着されるようになる。
【００２１】
なお、本発明にかかるアンテナ取付装置３はマストに替えて建造物の壁面にも取り付けることができる。壁面に取り付ける場合は、図３４に示すように一対のネジ３８を固定具３２の他面側から挟持部３２ｂに形成されている第１貫通孔３２ｃおよび第２貫通孔３２ｄにそれぞれ挿通して壁面等に螺着すればよい。ネジ３８は、取り付ける壁面の材質に応じたネジ、例えば木ネジ、タップネジやコンクリートネジとされる。なお、ネジ３８の頭部は図２３に示す第１貫通孔３２ｃおよび第２貫通孔３２ｄの周囲であるＵ字状溝３２ｈの底面に形成されている円形の凹部内に収納される。
【００２２】
上記の説明においては第２支持片２１ｂを第２起立部３１ｇに軸支する構成の一例を図１７に示したが、他の構成を図１８に示す。
図１８に示す構成では、第２起立部３１ｇに第３挿通孔３１ｊが形成されていると共に、第２支持片２１ｂにはネジ孔２３ｄが形成されており、この第３挿通孔３１ｊの他面側から蝶ボルト３７が挿通されて第２支持片２１ｂのネジ孔２３ｄに螺合される。これにより、第２支持片２１ｂは第２起立部３１ｇに回転可能に支持されるようになる。なお、第２起立部３１ｇの一面において第３挿通孔３１ｊの周囲には放射状の第３鋸歯状部３１ｉが形成されている。ここで、蝶ボルト３７が緩められている場合は、第２支持片２１ｂは第２起立部３１ｇに対して回転可能とされ、蝶ボルト３７を緊締すると第２支持片２１ｂの他面に形成されている鋸歯状部と第２起立部３１ｇの一面に形成されている第３鋸歯状部３１ｉとが歯合するようになり、第２支持片２１ｂは第２起立部３１ｇに対して回転不能となり、アンテナ部２は調整した仰角を維持することができるようになる。なお、第１支持片２１ａと第２支持片２１ｂとは同時に回動されることから、第１支持片２１ａの第１挿通孔２３ａに挿通され第１起立部３１ｄのネジ孔３１ｆに螺合されている蝶ボルト２２と蝶ボルト３７とは同時に緩められて回転可能とされると共に、同時に緊締されて回転不能とされる。
【００２３】
次に、第２支持片２１ｂを第２起立部３１ｇに軸支する構成のさらに他の例を図１９に示す。
図１９に示す構成では、第２起立部３１ｇの一面に円盤状のボス部３１ｋが形成されていると共に、第２支持片２１ｂの他面にはボス部３１ｋが嵌合される嵌合凹部２３ｅが形成されている。このボス部３１ｋの上面には放射状の第３鋸歯状部３１ｉが形成されており、嵌合凹部２３ｅの底面には第３鋸歯状部３１ｉが歯合される放射状の鋸歯状部が形成されている。ボス部３１ｋが嵌合凹部２３ｅに嵌合された状態において、第１支持片２１ａの第１挿通孔２３ａに挿通され第１起立部３１ｄのネジ孔３１ｆに螺合されている蝶ボルト２２が緩められている場合は、第２支持片２１ｂは第２起立部３１ｇに対して回転可能に支持されるようになる。そして、蝶ボルト２２をネジ孔３１ｆに緊締すると第２支持片２１ｂの嵌合凹部２３ｅの底面に形成されている鋸歯状部と第２起立部３１ｇのボス部３１ｋの上面に形成されている第３鋸歯状部３１ｉとが歯合するようになり、第２支持片２１ｂは第２起立部３１ｇに対して回転不能となり、アンテナ部２は調整した仰角を維持することができるようになる。
【００２４】
次に、第２支持片２１ｂを第２起立部３１ｇに軸支する構成のさらに他の例を図２０に示す。
図２０に示す構成では、第２起立部３１ｇの一面に円錐状に中央が盛り上がると共に放射状の鋸歯状部が形成されている凸状鋸歯状部３１ｍが設けられていると共に、第２支持片２１ｂの他面には円錐状に中央がくぼんでいると共に放射状の鋸歯状部が形成されている凹状鋸歯状部２３ｆが設けられている。凸状鋸歯状部３１ｍが凹状鋸歯状部２３ｆに嵌合された状態において、第１支持片２１ａの第１挿通孔２３ａに挿通され第１起立部３１ｄのネジ孔３１ｆに螺合されている蝶ボルト２２が緩められている場合は、第２支持片２１ｂは第２起立部３１ｇに対して回転可能に支持されるようになる。そして、蝶ボルト２２をネジ孔３１ｆに緊締すると第２支持片２１ｂの凸状鋸歯状部３１ｍと凹状鋸歯状部２３ｆとが歯合するようになり、第２支持片２１ｂは第２起立部３１ｇに対して回転不能となり、アンテナ部２は調整した仰角を維持することができるようになる。
本発明にかかるアンテナ取付装置３においては、図１７ないし図２０に示す構成のいずれかの構成を採用することができる。
【００２５】
次に、本発明の第２実施例にかかるアンテナ取付装置を備えるアンテナ装置の構成を示す下面図を図３５に、アンテナ装置の構成を示す側面図を図３６に、左斜め下から見た分解斜視図を図３７に、右斜め下から見た分解斜視図を図３８に示す。ただし、図３５および図３６においてはアンテナ取付装置１０２におけるマスト受け金具１３３、コの字ボルト１３４および蝶ナット１３６を省略して示している。
これらの図に示すアンテナ装置１００は、アンテナ部１０１の仰角および偏波角を調整することのできる小型のアンテナ取付装置１０２を備えている。アンテナ部１０１は、厚さの薄くされた直方体状のアンテナケース１２０を有し、アンテナケース１２０内に平面状のアンテナが収納されている。このアンテナは、例えば地上波デジタル放送を受信することができるアンテナとすることができる。
【００２６】
本発明の第２実施例にかかるアンテナ取付装置１０２を備えるアンテナ装置１００は、アンテナケース１２０の周側部から突出するよう設けられている第１支持片１２１ａと、第２支持片１２１ｂおよび第３支持片１２１ｃからなる支持片との間に角度調整具１３１の突出部１３１ｄが配置されて、角度調整具１３１にアンテナケース１２０が固着されている。この場合、第１支持片１２１ａの挿通孔１２３ａに挿通された蝶ボルト１２２が角度調整具１３１における突出部１３１ｄのネジ孔１３１ｆに螺合されると共に、第２支持片１２１ｂおよび第３支持片１２１ｃからなる支持片に軸部１２４により突出部１３１ｄが軸支される。そして、蝶ボルト１２２を緩めるとアンテナケース１２０を角度調整具１３１に対して回動することができる。また、蝶ボルト１２２をネジ孔１３１ｆに緊締すると、ネジ孔１３１ｆの周囲にリング状に形成されている第２鋸歯状部１３１ｅと挿通孔１２３ａの周囲にリング状に形成されている第３鋸歯状部１２３ｃとが歯合してアンテナケース１２０は角度調整具１３１に対して回動不能となる。このように、蝶ボルト１２２を緩めてアンテナケース１２０の仰角を調整し、調整後に蝶ボルト１２２を緊締することによりアンテナケース１２０の角度調整具１３１に対する仰角を調整することができる。
【００２７】
さらに、角度調整具１３１は固定具１３２に対面するよう固着されている。この場合、角度調整具１３１における本体部１３１ａの第１挿通孔１３１ｃに挿通された蝶ボルト１３５が固定具１３２におけるネジ孔１３２ｆに螺合されており、蝶ボルト１３５を緩めると角度調整具１３１を固定具１３２に対して回動することができる。また、蝶ボルト１３５をネジ孔１３２ｆに緊締すると第１挿通孔１３１ｃの周囲にリング状に形成されている第１鋸歯状部１３１ｂがネジ孔１３２ｆの周囲にリング状に形成されている第４鋸歯状部に歯合して角度調整具１３１は固定具１３２に対して回動不能となる。このように、蝶ボルト１３５を緩めて角度調整具１３１の固定具１３２に対する角度を調整し、調整後に蝶ボルト１３５を緊締することにより角度調整具１３１に固着されているアンテナケース１２０の偏波角を調整することができる。
【００２８】
本発明の第２実施例にかかるアンテナ取付装置１０２を備えるアンテナ装置１００の詳細な説明を行う前にアンテナ装置１００を構成している各部の説明を行う。
アンテナ部１０１におけるアンテナケース１２０の構成を図４９ないし図５２に示す。図４９はアンテナケース１２０の構成を示す下面図であり、図５０はアンテナケース１２０の構成を示す一側面図であり、図５１はアンテナケース１２０の構成を示す他の側面図であり、図５２はアンテナケース１２０の構成を示す分解斜視図である。
これらの図に示すようにアンテナケース１２０は、厚さの薄い箱状の上ケース１２０ａと下ケース１２０ｂとから構成されており、上ケース１２０ａを下ケース１２０ｂにかぶせるよう嵌合することにより構成されている。上ケース１２０ａを下ケース１２０ｂに嵌合した際に内部に形成される収納空間に特願２００５−２０５１３１で提案した平面アンテナなどの小型で厚みの薄い平面状のアンテナが収納される。アンテナケース１２０は、例えば縦の長さが約２３０ｍｍ、横の長さが約１５０ｍｍとされており、厚さは内部に収納されるアンテナの構成によるが約１０ｍｍ〜３０ｍｍとすることができる。また、アンテナケース１２０を構成する上ケース１２０ａと下ケース１２０ｂとは電波透過性の樹脂材を箱状に成形することにより構成されており、樹脂材は例えばＡＥＳ（アクリロニトリル−エチレン・プロピレン・ジエンゴム−スチレン共重合体）樹脂やアクリル樹脂のように誘電率の低い樹脂材とされている。アンテナケース１２０の長辺の周側部から第１支持片１２１ａと第２支持片１２１ｂおよび第３支持片１２１ｃからなる支持片が突出するよう設けられている。
【００２９】
アンテナケース１２０を構成する上ケース１２０ａの構成を図５３ないし図５５に示す。図５３は上ケース１２０ａの構成を示す下面図であり、図５４は上ケース１２０ａの構成を示す一側面図であり、図５５は上ケース１２０ａの構成を示す他の側面図である。これらの図に示すように、上ケース１２０ａの上側周側部１２０ｃの長辺の一周側部から突出するよう第１支持片１２１ａが形成されており、第１支持片１２１ａの先端は半円状に形成されている。また、外形が第１支持片１２１ａの上半分の形状とされる第２支持片１２１ｂが第１支持片１２１ａと相対するよう上側周側部１２０ｃの上部に形成されている。第１支持片１２１ａのほぼ中央部には、第１支持片を貫通する挿通孔１２３ａが形成されており、第２支持片１２１ｂの下面には断面が半円状の第１半円溝１２３ｂが形成されている。なお、上側周側部１２０ｃにおける第２支持片１２１ｂの下部には、第２支持片１２１ｂの幅とほぼ同じ幅の切溝１２０ｅが形成されている。
【００３０】
次に、アンテナケース１２０を構成する下ケース１２０ｂの構成を図５６ないし図５８に示す。図５６は下ケース１２０ｂの構成を示す上面図であり、図５７は下ケース１２０ｂの構成を示す一側面図であり、図５８は下ケース１２０ｂの構成を示す他の側面図である。これらの図に示すように、下ケース１２０ｂは上ケース１２０ａに嵌合されるよう一回り小さく形成されており、下ケース１２０ｂの下側周側部１２０ｄの長辺の一周側部から突出するよう第３支持片１２１ｃが下部に形成されている。第３支持片１２１ｃの外形は第１支持片１２１ａの下半分の形状とされ、第２支持片１２１ｂと線対称の形状とされている。この第３支持片１２１ｃの上面には、断面が半円状の第２半円溝１２３ｄが形成されている。
【００３１】
図４９ないし図５２に戻り、上ケース１２０ａを下ケース１２０ｂに嵌合すると下側周側部１２０ｄは上側周側部１２０ｃの内面を摺接しながら嵌合されていく。そして、下側周側部１２０ｄに形成されている第３支持片１２１ｃが上側周側部１２０ｃに形成されている切溝１２０ｅ内を摺接して第２支持片１２１ｂの下面と第３支持片１２１ｃの上面とが対面して当接するようになる。これにより、第１半円溝１２３ｂと第２半円溝１２３ｄとで形成されるほぼ断面円形の挿通孔により、後述する軸部１２４の一端を軸支することができるようになる。なお、軸部１２４の他端は角度調整具１３１の第２挿通孔１３１ｈに挿通されている。また、上ケース１２０ａは下ケース１２０ｂに水密に嵌合される。
【００３２】
次に、アンテナ取付装置１０２は、角度調整具１３１、固定具１３２、マスト受け金具１３３、コの字ボルト１３４、蝶ボルト１３５および一対の蝶ナット１３６を備えている。角度調整具１３１、固定具１３２はＡＥＳ樹脂等の樹脂材を成形することにより、あるいは金属製とされており、マスト受け金具１３３は金属板を加工することにより作成されている。
角度調整具１３１の詳細構成を図３９ないし図４３に示す。図３９は角度調整具１３１をほぼ中央で切断した際の断面図であり、図４０は角度調整具１３１の構成を示す側面図であり、図４１は角度調整具１３１の構成を示す正面図であり、図４２は角度調整具１３１の構成を示す左斜め上から見た斜視図であり、図４３は角度調整具３１の構成を示す右斜め上から見た斜視図である。
【００３３】
これらの図に示すように角度調整具１３１は、本体部１３１ａと本体部１３１ａの背面から後方へ突出して形成されている突出部１３１ｄから形成されている。突出部１３１ｄの断面形状はほぼ矩形とされ、後方へ突出している横幅は本体部１３１ａの横幅より狭く形成されており、後面において突出部１３１ｄの両側から横方向へ本体部１３１ａの上部が突出されている。この本体部１３１ａの上部は矩形状とされ中央部から次第に幅が狭くされると共に下部が半円状に形成されている。半円状とされている本体部３１ａの下部には第１挿通孔１３１ｃが形成されており、本体部１３１ａの前面であって第１挿通孔１３１ｃを取り囲むリング状の部分に第１扇状溝部１３１ｎと第１扇状凸部１３１ｐとが形成されている。さらに、第１扇状溝部１３１ｎと第１扇状凸部１３１ｐを取り囲むように放射状の第１鋸歯状部１３１ｂがリング状に形成されている。また、突出部１３１ｄの突出している端部は断面が半円状に形成されており、突出部１３１ｄの一側面には所定深さのネジ孔１３１ｆが形成され、他の側面には所定深さの第２挿通孔１３１ｈが形成されている。さらに、ネジ孔１３１ｆの周囲に放射状の第２鋸歯状部１３１ｅがリング状に形成されている。
【００３４】
次に、固定具１３２の詳細構成を図４４ないし図４８に示す。図４４は固定具１３２をほぼ中央で切断した際の断面図であり、図４５は固定具１３２の構成を示す側面図であり、図４６は固定具１３２の構成を示す正面図であり、図４７は固定具１３２の構成を示す左斜め上から見た斜視図であり、図４８は固定具１３２の構成を示す背面の右斜め上から見た斜視図である。
これらの図に示すように、固定具１３２の輪郭形状は角度調整具１３１とほぼ同様の形状とされており、上部に断面がほぼ矩形状とされ後面から突出している挟持部１３２ｂと、挟持部１３２ｂの下に位置し中央部から次第に幅が狭くされると共に下部が半円状に形成されている本体部１３２ａを有し、本体部１３２ａの下部にはネジ孔１３２ｆが形成されている。固定具１３２の上部に形成されている挟持部１３２ｂは、本体部１３２ａの背面側へ突出するよう厚く形成されており両側にそれぞれ第１貫通孔１３２ｃと第２貫通孔１３２ｄが設けられている。また、挟持部１３２ｂの前面には第１貫通孔１３２ｃおよび第２貫通孔１３２ｄを結ぶ横方向にＵ字状溝１３２ｈが一直線状に形成されており、背面のほぼ中央部に縦方向にＶ字状溝部１３２ｅが形成されている。さらに、本体部１３２ａの前面側においてネジ孔１３２ｆを取り囲むリング状の部分に扇状に突出する第２扇状凸部１３２ｉが形成されており、第２扇状凸部１３２ｉを取り囲むようリング状に第４鋸歯状部１３２ｇが形成されている。
【００３５】
このＶ字状溝部１３２ｅには、アンテナ装置１が固着されるマストが抱持されてマスト受け金具１３３とによりマストが挟持されるようになる。また、挟持部１３２ｂの前面において第１貫通孔１３２ｃおよび第２貫通孔１３２ｄの周囲に、第１貫通孔１３２ｃおよび第２貫通孔１３２ｄに挿通されるネジの頭部が収納可能な円形の凹部がＵ字状溝１３２ｈ内に設けられている。このＵ字状溝１３２ｈには後述するコの字ボルト１３４の中央部が収納される。この場合、コの字ボルト３４の脚部は前面側から第１貫通孔１３２ｃおよび第２貫通孔１３２ｄに挿通され、背面から突出するようになる。このコの字ボルト１３４の中央部は直線状に形成され、中央部の両側が折曲されて一対の脚部が形成されてコの字状に形成されている。脚部にはネジが設けられており蝶ナット１３６が螺合可能とされている。
【００３６】
次に、金属板を加工することにより作成されているマスト受け金具１３３は、図３７および図３８に示すように横長に形成されてほぼ中央部にＶ字状に折曲されたＶ字部１３３ａが形成されている。マスト受け金具１３３は、上部と下部とが内側にほぼ直交するようコ字状に折曲されて曲げ荷重に強くなるように形成されており、上部と下部における折曲部のＶ字部１３３ａの内側にマストに喰い込む複数の尖った歯が形成されている。また、Ｖ字部１３３ａの両側にそれぞれ長孔１３３ｂと長孔１３３ｃが形成されている。長孔１３３ｂと長孔１３３ｃには、固定具１３２から突出されたコの字ボルト１３４の脚部が挿通される孔部とされている。長孔１３３ｂと長孔１３３ｃに挿通されてマスト受け金具１３３から突出したコの字ボルト１３４の脚部の先端には、一対の蝶ナット１３６が螺着される。
【００３７】
次に、本発明の第２実施例にかかるアンテナ取付装置１０２を備えるアンテナ装置１００の組立方法を図３７および図３８を参照しながら説明することによりアンテナ装置１００の詳細な説明を行う。
アンテナ装置を組み立てるには、まず、角度調整具１３１の第２挿通孔１３１ｈに金属製あるいは樹脂製の軸部１２４の一端を挿入する。この状態の角度調整具１３１における突出部１３１ｄを上ケース１２０ａに設けられている第１支持片１２１ａと第２支持片１２１ｂとの間に配置し、蝶ボルト１２２を第１支持片１２１ａに挿通して突出部１３１ｄに設けられているネジ孔１３１ｆに螺合する。この際に、第２挿通孔１３１ｈに半部が挿通されている軸部１２４が第２支持片１２１ｂの第１半円溝１２３ｂ内に嵌入される。この状態の上ケース１２０ａを、小型で厚みの薄い平面状のアンテナが収納されている下ケース１２０ｂに嵌合して、上ケース１２０ａと下ケース１２０ｂとを固着する。これにより、第２支持片１２１ｂの第１半円溝１２３ｂ内に嵌入されている軸部１２４が、下ケース１２０ｂに設けられている第３支持片１２１ｃの第２半円溝１２３ｄ内にも嵌入されて、第１半円溝１２３ｂと第２半円溝１２３ｄとで形成される挿通孔で軸部１２４が軸支されるようになる。従って、上ケース１２０ａと下ケース１２０ｂとからなるアンテナケース１２０が、角度調整具１３１に対して蝶ボルト１２２と軸部１２４を回転中心として回動可能となる。
【００３８】
次に、コの字ボルト１３４の脚部を固定具１３２における挟持部１３２ｂに設けられている第１貫通孔１３２ｃおよび第２貫通孔１３２ｄに挿通し、コの字ボルト１３４の直線状とされている中央部をＵ字状溝１３２ｈ内に収納する。この状態の固定具１３２の前面を角度調整具１３１の前面に対面させて、角度調整具１３１に設けられている第１挿通孔１３１ｃに挿通された蝶ボルト１３５を固定具１３２の本体部１３２ａに設けられているネジ孔１３２ｆに螺合する。これにより、角度調整具１３１を固定具１３２に対して蝶ボルト１３５を回転軸として回動可能とすることができる。そして、固定具１３２における挟持部１３２ｂから突出しているコの字ボルト１３４の脚部をマスト受け金具１３３に設けられている一対の長孔１３３ｂ、１３３ｃにそれぞれ挿通して、脚部の先端にそれぞれ蝶ナット１３６を螺合する。次いで、アンテナ装置１００を取り付けるマストを固定具１３２におけるＶ字状溝部１３２ｅとマスト受け金具１３３のＶ字部１３３ａとの間に位置させて蝶ナット１３６を締め付けることにより、アンテナ装置１００をマストに取り付けることができる。この場合、挟持部１３２ｂに形成されているＶ字状溝部１３２ｅに抱持されたマストにＶ字部１３３ａの内側に形成されている複数の尖った歯が喰い込んで確実に固着されるようになる。
【００３９】
このように、アンテナ装置１００をマストに取り付ける取付方法を図７２ないし図７４に詳細に示す。ただし、図７２ないし図７４においてはコの字ボルト１３４、固定具１３２、マスト受け金具１３３および蝶ナット１３６以外は省略して示している。
まず、図７２に示すようにコの字ボルト１３４、固定具１３２、マスト受け金具１３３および蝶ナット１３６を用意してコの字ボルト１３４の一対の脚部をそれぞれ固定具１３２における挟持部１３２ｂに形成されている第１貫通孔１３２ｃおよび第２貫通孔１３２ｄに挿通することにより、コの字ボルト１３４の直線状の中央部が挟持部１３２ｂに形成されているＵ字状溝１３２ｈ内に収納されて図７３に示すようになる。このＵ字状溝１３２ｈの奥の丸みはコの字ボルト１３４の断面円形の丸みにほぼ一致する丸みとされている。次いで、図７３に示すように挟持部１３２ｂから突出しているコの字ボルト１３４の脚部にマスト受け金具１３３の両側にそれぞれ形成されている一対の長孔１３３ｃ、１３３ｄを挿通させて、マスト受け金具１３３の背面から突出したコの字ボルト１３４の脚部の先端にそれぞれ蝶ナット１３６を螺着する。これにより、図７４に示すように挟持部１３２ｂの背面に形成されているＶ字状溝部１３２ｅとマスト受け金具１３３に形成されているＶ字部１３３ａとが対面してひし形の収納空間が形成される。この収納空間は、アンテナ装置１００を取り付けるマストが収納される空間となる。
【００４０】
なお、アンテナ装置１００はマストに替えて壁面等の平面部に取り付けることもできる。アンテナ装置１００を壁面に取り付ける場合は、図７５に示すように固定具１３２における挟持部１３２ｂに形成されている第１貫通孔１３２ｃおよび第２貫通孔１３２ｄに、Ｕ字状溝１３２ｈ側からそれぞれネジ１３８を挿通し、この一対のネジ１３８を平面部にねじ込むようにする。この場合、ネジ１３８の頭部はＵ字状溝１３２ｈ内の第１貫通孔１３２ｃおよび第２貫通孔１３２ｄの周囲に形成されている円形の凹部（図４６参照）に収納されるようになる。
【００４１】
以上説明したアンテナ装置１００においては、固定具１３２をマストあるいは平面部に取り付けた状態において、アンテナケース１２０内に収納されたアンテナとアンテナケース１２０からなるアンテナ部１０１の仰角を調整することができる。アンテナ部１０１を水平に向けた際のアンテナ装置１００の構成が図５９に示されており、アンテナケース１２０は角度調整具１３１に対して回動していない状態とされている。ここで、第１支持片１２１ａの挿通孔１２３ａに挿通され、角度調整具１３１における突出部１３１ｄのネジ孔１３１ｆに螺合されている蝶ボルト１２２を緩めて、アンテナケース１２０を角度調整具１３１に対して回動することにより仰角を下に向けた状態を図６０に示す。図６０に示す状態において蝶ボルト１２２を角度調整具１３１のネジ孔１３１ｆに緊締すると、ネジ孔１３１ｆの周囲にリング状に形成されている第２鋸歯状部１３１ｅと挿通孔１２３ａの周囲にリング状に形成されている第３鋸歯状部１２３ｃとが歯合してアンテナケース１２０は角度調整具１３１に対して回動不能となり、アンテナ部１０１の図示する仰角が保持される。
【００４２】
また、蝶ボルト１２２を緩めてアンテナケース１２０を角度調整具１３１に対して回動することにより仰角を上に向けた状態を図６１に示す。図６１に示す状態において蝶ボルト１２２を角度調整具１３１のネジ孔１３１ｆに緊締すると、ネジ孔１３１ｆの周囲にリング状に形成されている第２鋸歯状部１３１ｅと挿通孔１２３ａの周囲にリング状に形成されている第３鋸歯状部１２３ｃとが歯合してアンテナケース１２０は角度調整具１３１に対して回動不能となり、アンテナ部１０１の図示する仰角が保持される。このように、アンテナ装置１００をマストあるいは平面部に取り付けた状態において、蝶ボルト１２２を緩めてアンテナ部１０１の仰角を調整し、調整後に蝶ボルト１２２を緊締することによりアンテナ部１０１の仰角を調整することができる。
【００４３】
また、アンテナ装置１００においては、固定具１３２をマストあるいは平面部に取り付けた状態において、アンテナ部１０１の偏波角を調整することができる。この場合、偏波角は所定の角度範囲内で調整できる構成とされている。
角度調整具１３１を固定具１３２に対して回動可能に固着する部分のみの構成を斜視図で図６２および図６３に示す。これらの図に示すように、固定具１３２における本体部１３２ａの前面を角度調整具１３１における本体部１３１ａの前面に対面させて、角度調整具１３１に設けられている第１挿通孔１３１ｃに挿通された蝶ボルト１３５を固定具１３２の本体部１３２ａに設けられているネジ孔１３２ｆに螺合する。すると、角度調整具１３１における第１挿通孔１３１ｃを取り囲むリング状の部分に形成されている第１扇状溝部１３１ｎ内に、固定具１３２におけるネジ孔１３２ｆを取り囲むリング状の部分に形成されている第２扇状凸部１３２ｉが嵌合される。この場合、第２扇状凸部１３２ｉがなす角度幅より第１扇状溝部１３１ｎがなす角度幅が大きくされていることから、第２扇状凸部１３２ｉは第１扇状溝部１３１ｎの角度幅内で回動することができるようになる。そして、第２扇状凸部１３２ｉの縁が第１扇状溝部１３１ｎの縁に当接した際に、第２扇状凸部１３２ｉの回動は制限されるようになる。これにより、角度調整具１３１は固定具１３２に対して所定の角度範囲内で回動されるようになって、アンテナ装置１００の偏波角を所定の角度範囲内で調整できることになる。
【００４４】
ここで、角度調整具１３１を固定具１３２に対して０°回動した際の角度調整具１３１と固定具１３２との関係を図６４に示し、その際の第２扇状凸部１３２ｉの第１扇状溝部１３１ｎ内の回動態様を図６５に示す。これらの図に示すように、角度調整具１３１は固定具１３２に重なっており、第２扇状凸部１３２ｉにより占められていない第１扇状溝部１３１ｎの角度範囲は約９０°となっている。この場合、第２扇状凸部１３２ｉの時計方向側の縁が第１扇状凸部１３１ｐの反時計方向側の縁に当接していることから、角度調整具１３１を固定具１３２に対して反時計方向にこれ以上回動することはできない。
そして、角度調整具１３１を固定具１３２に対して約３０°時計方向に回動した際の角度調整具１３１と固定具１３２との関係を図６６に示し、その際の第２扇状凸部１３２ｉの第１扇状溝部１３１ｎ内の回動態様を図６７に示す。これらの図に示すように、角度調整具１３１は固定具１３２に対して時計方向に約３０°回動されており、第２扇状凸部１３２ｉにより占められていない第１扇状溝部１３１ｎは２ヶ所に分離するようになる。この場合、第２扇状凸部１３２ｉの両縁は第１扇状凸部１３１ｐのいずれの縁にも当接しておらず、角度調整具１３１を固定具１３２に対していずれの方向にも回動することができる。
【００４５】
さらに、角度調整具１３１を固定具１３２に対して約６０°時計方向に回動した際の角度調整具１３１と固定具１３２との関係を図６８に示し、その際の第２扇状凸部１３２ｉの第１扇状溝部１３１ｎ内の回動態様を図６９に示す。これらの図に示すように、角度調整具１３１は固定具１３２に対して時計方向に約６０°回動されており、第２扇状凸部１３２ｉにより占められていない第１扇状溝部１３１ｎは２ヶ所に分離するようになる。この場合、第２扇状凸部１３２ｉの両縁は第１扇状凸部１３１ｐのいずれの縁にも当接しておらず、角度調整具１３１を固定具１３２に対していずれの方向にも回動することができる。
さらにまた、角度調整具１３１を固定具１３２に対して約９０°時計方向に回動した際の角度調整具１３１と固定具１３２との関係を図７０に示し、その際の第２扇状凸部１３２ｉの第１扇状溝部１３１ｎ内の回動態様を図７１に示す。これらの図に示すように、角度調整具１３１は固定具１３２に対して時計方向に約９０°回動されており、第２扇状凸部１３２ｉにより占められていない角度範囲は約９０°となっている。この場合、第２扇状凸部１３２ｉの反時計方向側の縁は第１扇状凸部１３１ｐの時計方向側の縁に当接するようになり、角度調整具１３１を固定具１３２に対して時計方向にこれ以上回動することはできないようになる。このように、角度調整具１３１は固定具１３２に対して約９０°の角度範囲で回動することができるようになる。ただし、第２扇状凸部１３２ｉが形成される角度と第１扇状溝部１３１ｎが形成される角度を変更することにより、角度調整具１３１を固定具１３２に対して任意の角度範囲で回動することができるようになる。
【００４６】
以上説明したように、本発明の第２実施例にかかるアンテナ取付装置１０２を備えるアンテナ装置１００においては、固定具１３２とマスト受け金具１３３との間にマストを配置して蝶ナット１３６をコの字ボルト１３４に螺着することにより、アンテナ装置１００がマストに取り付けられる。そして、蝶ボルト１２２を緩めてアンテナ部１０１の仰角を調整すると共に、蝶ボルト１３５を緩めてアンテナ部１０１の偏波角を調整する。これにより、アンテナ装置１００を電波の到来方向および偏波に確実に一致させることができる。具体的には、図６４，図６５に示すようにアンテナ装置１００を調整した場合は水平偏波を受信することができ、図７０，図７１に示すようにアンテナ装置１００を調整した場合は垂直偏波を受信することができる。そして、仰角の調整後に蝶ボルト１２２を緊締すると共に、偏波角の調整後に蝶ボルト１３５を緊締することにより所望の方向に向けたアンテナ装置１００の仰角および偏波角を保持することができるようになる。
【００４７】
なお、角度調整具１３１の第１鋸歯状部１３１ｂは固定具１３２における第４鋸歯状部１３２ｇに歯合していることから、角度調整具１３１は固定具１３２に対してこれらの鋸歯状部の鋸歯の形状に応じた所定の角度ずつ回転することができるようになる。この所定の角度は、第１鋸歯状部１３１ｂと第４鋸歯状部１３２ｇの山と山の間隔により決定され、例えば約１５°とされている。この角度はアンテナ部１０１の指向性の鋭さ（半値角）に応じて決定するのが好適である。指向性が鋭い場合は、両鋸歯状部の山と山との間隔を小さくして所定の角度を１０°や５°に設定し、指向性がブロードの場合は、両鋸歯状部の山と山との間隔を大きくして所定の角度を２０°や２５°に設定することが好適とされる。また、角度調整具１３１の第２鋸歯状部１３１ｅはアンテナケース１２０の第３鋸歯状部１２３ｃに歯合していることから、アンテナケース１２０は角度調整具１３１に対してこれらの鋸歯状部の鋸歯の形状に応じた所定の角度ずつ回転することができるようになる。この場合においても、上記と同様に第２鋸歯状部１３１ｅと第３鋸歯状部１２３ｃの山と山の間隔を、アンテナ部１０１の指向性の鋭さ（半値角）に応じて決定するのが好適とされる。
【産業上の利用可能性】
【００４８】
なお、本発明の第１，２実施例にかかるアンテナ取付装置を備えるアンテナ装置は、地上デジタル放送を受信するアンテナ装置とすることができる。また、ＵＨＦ帯を送受信するアンテナ装置に適用することもできる。
また、以上の説明において、蝶ボルトおよび蝶ナットを使用するようにしたが、本発明がこれに限るものではなく一般的に用いられているボルトやナットを用いることができる。さらに、鋸歯状部は円形あるいはリング状に形成するものとしたが、鋸歯状部を多角形状や扇状に形成するようにしても良い。
【符号の説明】
【００４９】
１  アンテナ装置、２  アンテナ部、３  アンテナ取付装置、２０  アンテナケース、２１ａ  第１支持片、２１ｂ  第２支持片、２２  蝶ボルト、２３ａ  第１挿通孔、２３ｂ  第２挿通孔、２３ｄ  ネジ孔、２３ｅ  嵌合凹部、２３ｆ  凹状鋸歯状部、３１  角度調整具、３１ａ  本体部、３１ｂ  第１鋸歯状部、３１ｃ  第１挿通孔、３１ｄ  第１起立部、３１ｅ  第２鋸歯状部、３１ｆ  ネジ孔、３１ｇ  第２起立部、３１ｈ  軸部、３１ｉ  第３鋸歯状部、３１ｊ  第３挿通孔、３１ｋ  ボス部、３１ｍ  凸状鋸歯状部、３２  固定具、３２ａ  本体部、３２ｂ  挟持部、３２ｃ  第１貫通孔、３２ｄ  第２貫通孔、３２ｅ  Ｖ字状溝部、３２ｆ  ネジ孔、３２ｇ  第４鋸歯状部、３２ｈ  Ｕ字状溝、３３  マスト受け金具、３３ａ  Ｖ字部、３３ｂ  長溝、３３ｃ  長孔、３４  コの字ボルト、３５  蝶ボルト、３６  蝶ナット、３７  蝶ボルト、３８  ネジ、１００  アンテナ装置、１０１  アンテナ部、１０２  アンテナ取付装置、１２０  アンテナケース、１２０ａ  上ケース、１２０ｂ  下ケース、１２０ｃ  上側周側部、１２０ｄ  下側周側部、１２０ｅ  切溝、１２１ａ  第１支持片、１２１ｂ  第２支持片、１２１ｃ  第３支持片、１２２  蝶ボルト、１２３ａ  挿通孔、１２３ｂ  第１半円溝、１２３ｃ  第３鋸歯状部、１２３ｄ  第２半円溝、１２４  軸部、１３１  角度調整具、１３１ａ  本体部、１３１ｂ  第１鋸歯状部、１３１ｃ  第１挿通孔、１３１ｄ  突出部、１３１ｅ  第２鋸歯状部、１３１ｆ  ネジ孔、１３１ｈ  第２挿通孔、１３１ｎ  第１扇状溝部、１３１ｐ  第１扇状凸部、１３２  固定具、１３２ａ  本体部、１３２ｂ  挟持部、１３２ｃ  第１貫通孔、１３２ｄ  第２貫通孔、１３２ｅ  Ｖ字状溝部、１３２ｆ  ネジ孔、１３２ｇ  第４鋸歯状部、１３２ｈ  Ｕ字状溝、１３２ｉ  第２扇状凸部、１３３  マスト受け金具、１３３ａ  Ｖ字部、１３３ｂ  長孔、１３３ｃ  長孔、１３４  コの字ボルト、１３５  蝶ボルト、１３６  蝶ナット、１３８  ネジ
【図１】
2011254511.tif 000003
【図２】
2011254511.tif 000004
【図３】
2011254511.tif 000005
【図４】
2011254511.tif 000006
【図５】
2011254511.tif 000007
【図６】
2011254511.tif 000008
【図７】
2011254511.tif 000009
【図８】
2011254511.tif 000010
【図９】
2011254511.tif 000011
【図１０】
2011254511.tif 000012
【図１１】
2011254511.tif 000013
【図１２】
2011254511.tif 000014
【図１３】
2011254511.tif 000015
【図１４】
2011254511.tif 000016
【図１５】
2011254511.tif 000017
【図１６】
2011254511.tif 000018
【図１７】
2011254511.tif 000019
【図１８】
2011254511.tif 000020
【図１９】
2011254511.tif 000021
【図２０】
2011254511.tif 000022
【図２１】
2011254511.tif 000023
【図２２】
2011254511.tif 000024
【図２３】
2011254511.tif 000025
【図２４】
2011254511.tif 000026
【図２５】
2011254511.tif 000027
【図２６】
2011254511.tif 000028
【図２７】
2011254511.tif 000029
【図２８】
2011254511.tif 000030
【図２９】
2011254511.tif 000031
【図３０】
2011254511.tif 000032
【図３１】
2011254511.tif 000033
【図３２】
2011254511.tif 000034
【図３３】
2011254511.tif 000035
【図３４】
2011254511.tif 000036
【図３５】
2011254511.tif 000037
【図３６】
2011254511.tif 000038
【図３７】
2011254511.tif 000039
【図３８】
2011254511.tif 000040
【図３９】
2011254511.tif 000041
【図４０】
2011254511.tif 000042
【図４１】
2011254511.tif 000043
【図４２】
2011254511.tif 000044
【図４３】
2011254511.tif 000045
【図４４】
2011254511.tif 000046
【図４５】
2011254511.tif 000047
【図４６】
2011254511.tif 000048
【図４７】
2011254511.tif 000049
【図４８】
2011254511.tif 000050
【図４９】
2011254511.tif 000051
【図５０】
2011254511.tif 000052
【図５１】
2011254511.tif 000053
【図５２】
2011254511.tif 000054
【図５３】
2011254511.tif 000055
【図５４】
2011254511.tif 000056
【図５５】
2011254511.tif 000057
【図５６】
2011254511.tif 000058
【図５７】
2011254511.tif 000059
【図５８】
2011254511.tif 000060
【図５９】
2011254511.tif 000061
【図６０】
2011254511.tif 000062
【図６１】
2011254511.tif 000063
【図６２】
2011254511.tif 000064
【図６３】
2011254511.tif 000065
【図６４】
2011254511.tif 000066
【図６５】
2011254511.tif 000067
【図６６】
2011254511.tif 000068
【図６７】
2011254511.tif 000069
【図６８】
2011254511.tif 000070
【図６９】
2011254511.tif 000071
【図７０】
2011254511.tif 000072
【図７１】
2011254511.tif 000073
【図７２】
2011254511.tif 000074
【図７３】
2011254511.tif 000075
【図７４】
2011254511.tif 000076
【図７５】
2011254511.tif 000077